(57)【要約】【課題】流量が少ない状態においても複数組の真空弁の使用量を均等化する。【解決手段】樹脂材料により形成された内層管１６と内層管１６の外周面１６ａに設けられた発泡樹脂層１７と発泡樹脂層１７の外周面１７ａに設けられたスキン層１８とを具備したドレンパイプ５と、ドレンパイプ５と排水用竪管と接続させる管継手７と、を備え、  ドレンパイプ５と管継手７との間には、ドレンパイプ５の先端部５ａを内嵌させる受け口８と管継手７の端部１１ａに挿入される差し口９とを具備したアダプタ６が配され、管継手７の端部１１ａには、差し口９を緊締して保持する緊締機構２０を備えていることを特徴とする。【選択図】図２
2015068448.tif 000002
【特許請求の範囲】
【請求項１】
樹脂材料により形成された内層管とこの内層管の外周面に設けられた発泡樹脂層とこの発泡樹脂層の外周面に設けられたスキン層とを具備したドレンパイプと、このドレンパイプと排水用竪管とを接続させる管継手と、を備え、
前記ドレンパイプと前記管継手との間には、前記ドレンパイプの先端部を内嵌させる受け口と前記管継手の端部に挿入される差し口とを具備したアダプタが配され、
前記管継手の端部には、前記差し口を緊締して保持する緊締機構を備えていることを特徴とするドレンパイプの接続構造。
【請求項２】
前記差し口は、その端部が前記管継手の前記緊締機構に達する挿入位置まで挿入された状態で、前記管継手の端部の外に延びる寸法を有していることを特徴とする請求項1に記載のドレンパイプの接続構造。
【請求項３】
前記差し口の内孔は、前記ドレンパイプの内孔よりも小径に形成されているとともに前記受け口の内孔に対して偏芯し、前記差し口の内周面の周方向の一部が軸線方向に直線状に形成され、この直線状に形成された前記内周面の周方向の一部と前記受け口の内周面との差が前記ドレンパイプの肉厚寸法となるよう形成されていることを特徴とする請求項１又は２に記載のドレンパイプの接続構造。
【発明の詳細な説明】
【技術分野】
【０００１】
本発明は、ドレンパイプの接続構造に関する。
【背景技術】
【０００２】
空調機等に取り付けられ排水用竪管にドレン排水を流水させるドレンパイプとしては、結露防止のために、発泡樹脂による断熱構造を備えたものが広く用いられている（例えば下記特許文献１）。
特許文献１に記載のドレンパイプは、ドレン排水の掃流性を良好にする硬質塩ビ層により形成された内層管と、この内層管の外周面に設けられた発泡樹脂層と、発泡樹脂層の外周面に設けられた塩ビスキン層とを備えている。
【０００３】
一方、排水用竪管としては、大径のものになると鋼管により形成されたものが広く用いられている。
また、このような鋼管の排水用竪管と樹脂材料よりなるドレンパイプとを接続させる管継手としては、その端部の内周面に厚肉のゴムパッキンを配し、このゴムパッキンの厚さを増減させることで挿入させた管の端部を緊締又は弛緩する緊締機構を備えたものが用いられている。
【０００４】
上記のような管継手に直接ドレンパイプを接続させると、ドレンパイプがゴムパッキンによる緊締に対する剛性を有していないため、ドレンパイプの内孔が潰されてしまう。そこで、従来は、ドレンパイプの先端部を変形させずに金属製の管継手に接続させるために、ドレンパイプと塩ビ配管とを接続させる際に広くに用いられていた塩ビ製のアダプタと塩ビ継手とが利用されていた。すなわち、ドレンパイプ−塩ビ製のアダプタ−塩ビ継手−塩ビ配管の順に接続し、塩ビ配管の端部を前記管継手に挿入させ、緊締する方法が採用されていた。
【先行技術文献】
【特許文献】
【０００５】
【特許文献１】特許第３６９９５７９号公報
【発明の概要】
【発明が解決しようとする課題】
【０００６】
しかし、上記ドレンパイプの接続構造によれば、別途新たな部材を要することなく従来から広く用いられている部材を用いて管継手に接続できるものの、管継手とドレンパイプとの接続に多数の部材を要し、配管の接続作業が煩雑であるという課題があった。
そこで本発明は、接続作業をシンプルかつ容易にするドレンパイプの接続構造を提供する。
【課題を解決するための手段】
【０００７】
本発明は、樹脂材料により形成された内層管とこの内層管の外周面に設けられた発泡樹脂層とこの発泡樹脂層の外周面に設けられたスキン層とを具備したドレンパイプと、このドレンパイプと排水用竪管とを接続させる管継手と、を備え、前記ドレンパイプと前記管継手との間には、前記ドレンパイプの先端部を内嵌させる受け口と前記管継手の端部に挿入される差し口とを具備したアダプタが配され、前記管継手の端部には、前記差し口を緊締して保持する緊締機構を備えていることを特徴とする。
このようなドレンパイプの接続構造によれば、ドレンパイプと管継手との間を前記アダプタにより接続させることができるため、接続構造がシンプルとなる。
【０００８】
本発明の前記差し口は、その端部が前記管継手の前記緊締機構に達する挿入位置まで挿入された状態で、前記管継手の端部の外に延びる寸法を有していることが好ましい。
このような構成によれば、前記管継手の端部に前記差し口を挿入した状態で前記緊締機構の操作が行いやすくなる。
【０００９】
本発明の前記差し口の内孔は、前記ドレンパイプの内孔よりも小径に形成されているとともに前記受け口の内孔に対して偏芯し、前記差し口の内周面の周方向の一部が軸線方向に直線状に形成され、この直線状に形成された前記内周面の周方向の一部と前記受け口の内周面との差が前記ドレンパイプの肉厚寸法となるよう形成されていることが好ましい。
このような構成によれば、前記受け口にドレンパイプを挿入した際に、前記差し口の内周面がその周方向の前記直線状に形成された一部において前記ドレンパイプの内周面と略面一となる。したがって、この直線状に形成された差し口の内周面が底面を形成するように配置することにより、ドレンパイプ内を流れる排水の掃流性が良くなる。
【発明の効果】
【００１０】
本発明によれば、ドレンパイプと管継手との接続作業をシンプルかつ容易にすることができるという効果を奏する。
【図面の簡単な説明】
【００１１】
【図１】本発明のドレンパイプの接続構造の一実施形態の適用例を示した概略図である。
【図２】本発明のドレンパイプの接続構造の一実施形態を示す一部断面図である。
【図３】本発明のドレンパイプの接続構造の一実施形態の変形例を示す一部断面図である。
【発明を実施するための形態】
【００１２】
以下、添付図面を参照して、本発明によるドレンパイプの接続構造を実施するための形態を説明する。
【００１３】
図１は、本発明の一実施形態であるドレンパイプの接続構造１を、空調機２と排水用竪管３との間に適用した例を示す概略図である。
図１に示すように、ドレンパイプの接続構造１は、天井Ｔに固定された空調機２から排出されるドレン排水を例えば建物の内壁４の外に配された排水用竪管３に向けて流出できるように配されている。
【００１４】
ドレンパイプの接続構造１は、ドレンパイプ５とアダプタ６と管継手７とを備えており、図２に示すように、ドレンパイプ５の先端部５ａを、アダプタ６を介して管継手７に接続させている。
ドレンパイプ５は、主として硬質塩ビ樹脂により形成された内層管１６と、内層管１６の外周面１６ａに円筒状に設けられた発泡樹脂層１７と、この発泡樹脂層１７の外周面１７ａに設けられたスキン層１８とを備えている。
【００１５】
アダプタ６は、ドレンパイプ５の先端部５ａを内嵌させる受け口８と、受け口８に連続して設けられ管継手７に挿入して固定される円筒状の差し口９とを備えている。
差し口９は、管継手７の受け口（端部）１１ａに差し込まれた際に、受け口１１ａの外へ向かう軸線Ｌ１方向に所定寸法延びる長さを有するように形成されている。
【００１６】
管継手７は、上方の排水用竪管３ａと下方の排水用竪管３ｂとを接続する本管１０と、アダプタ６の差し口９を内嵌させてドレンパイプ５からの排水を排水用竪管３内に合流させる分岐管１１とを備えている。
本管１０及び分岐管１１に形成された各受け口（端部）１０ａ，１１ａには、肉厚なゴムパッキン１２をボルト１３とナット１４等の結合部材Ｃを用いて押し輪１５で締め付け、内嵌された上下の排水用竪管３ａ，３ｂの端部及びアダプタ６の差し口９をそれぞれゴムパッキン１２で圧迫する緊締機構２０が設けられている。
【００１７】
具体的には、受け口１１ａには、軸線Ｌ１方向に平行にボルト１３を挿通させる貫通孔２５が形成されたフランジ２６が設けられている。フランジ２６が形成された受け口１１ａの内周面には、テーパー形状を形成する傾斜面２７を有する凹所２８が形成されている。
【００１８】
フランジ２６の端面２６ｓに対向する側には、受け口１１ａと内径ｒ１を共通にするとともにフランジ２６と外径ｒ２を共通にする押し輪１５が配されている。受け口１１ａの凹所２８に対向する押し輪１５の内周面には凹所２９が形成され、これらの凹所２８，２９により形成された環状の空間に所定の圧さを有するリング状のゴムパッキン１２が配されている。この押し輪１５には、フランジの貫通孔２５に対向する位置に貫通孔３０が形成され、ボルト１３を両貫通孔２５，３０に挿通させナット１４を螺合させることによって押し輪１５が受け口１１ａと連結されている。
このように構成された受け口１１ａ、ゴムパッキン１２、押し輪１５並びにボルト１３及びナット１４により緊締機構２０が構成されている。
なお、本管１０の受け口１０ａ，１０ａにも分岐管１１の受け口１１ａと同様の緊締機構２０が設けられている。
【００１９】
次に、ドレンパイプの接続構造１の形成方法について説明する。
まず、ドレンパイプ５の先端部５ａの外周面５Ｆに接着剤を塗布し、アダプタ６の受け口８に挿入して固着させる。一方、上方の排水用竪管３ａと下方の排水用竪管３ｂとの間には管継手７を固定しておく。ドレンパイプ５の先端部５ａがアダプタ６に固着された後に、予めナット１４を緩め、押し輪１５を受け口１１ａから離間させておいた分岐管１１にアダプタ６の差し口９を挿入する。
【００２０】
その上で、ナット１４を締める方向に螺合し、押し輪１５を受け口１１ａに向けて近接させる。そうすると、ゴムパッキン１２が軸線Ｌ１方向に圧迫されて厚さ寸法が増大し、漸次差し口９の外周面９ａを圧迫して緊締するので、アダプタ６が分岐管１１の受け口１１ａに堅固かつ水密に固定される。このようにして、ドレンパイプ５の接続が完了する。なお、本管１０に形成された受け口１０ａと排水用竪管３ａ，３ｂとの接続も分岐管１１とアダプタ６の差し口９との接続と同様に行われる。
【００２１】
以上のように、本実施形態のドレンパイプの接続構造１は、ドレンパイプ５をアダプタ６の受け口８に固着させ、アダプタ６の差し口９を管継手７の分岐管１１に固定して緊締するだけで完成するので、極めてシンプルかつ容易にドレンパイプ５と管継手７とを接続させたドレンパイプの接続構造を形成することができるという効果が得られる。
【００２２】
また、ゴムパッキン１２を圧縮して内嵌された管端部を固定する管継手７を用いても、ドレンパイプ５の内孔Ｈ３をつぶすことなく、適切にドレンパイプ５と排水用竪管３とを接続させることができるという効果が得られる。
また更に、差し口９が分岐管１１の受け口１１ａに挿入され、緊締機構２０により緊締された際に、受け口１１ａの外に所定寸法延びる寸法を有しているため、結合部材Ｃを不図示の工具を用いて操作しやすいという効果が得られる。
【００２３】
次に、上記した一実施形態の変形例について説明する。本変形例において上記実施形態と同一の構成については同一の符号を付しその説明を省略する。
本実施形態において、差し口９の内孔Ｈ１がドレンパイプ５の内孔Ｈ３よりも縮径して形成されている。
また、差し口９の内孔Ｈ１の軸線Ｌ１に対して受け口８の内孔Ｈ２の軸線Ｌ２が偏芯しており、差し口９の内周面の周方向の一部３３が軸線Ｌ１方向に直線状に形成され、直線状に形成された内周面の周方向の一部３３とその延長上に位置する前記受け口８の内周面３１との差がドレンパイプ５の肉厚寸法と同等になるよう形成されている。
【００２４】
したがって、アダプタ６を分岐管１１に挿入して固定するに際して、差し口９の内周面の一部３３が内孔Ｈ１の底面３２を形成するように配置することにより、ドレンパイプ５からアダプタ６の内孔Ｈ１に亘って排水の円滑な流動を妨げ得る逆段差が形成されない、軸線Ｌ１方向に略平滑な底面３２が形成される。
したがって、ドレンパイプの接続構造１に用いられるアダプタ６をこのように形成することにより、ドレンパイプ５とアダプタ６との間での掃流性を良好にし、ドレンパイプ５に排水が溜まることにより発生し得る不都合を回避することができるという効果が得られる。
【符号の説明】
【００２５】
１    ドレンパイプの接続構造
３    排水用竪管
５    ドレンパイプ
５ａ  先端部
６    アダプタ
７    管継手
８    受け口
９    差し口
１０ａ  受け口（管継手の端部）
１１ａ  受け口（管継手の端部）
２０  緊締機構
３１  受け口の内周面
３３  差し口の内周面の周方向の一部
Ｈ１  差し口の内孔
Ｈ２  受け口の内孔
Ｌ１  軸線
Ｌ２  軸線
【図１】
2015068448.tif 000003
【図２】
2015068448.tif 000004
【図３】
2015068448.tif 000005